(57)【要約】【課題】情報提供者に興味を持つ者の所定事項を取得できると共に、その者に対して追加情報を配信することができる情報配信システムを提供すること。【解決手段】ユーザＰＣ２にＣＤ４が挿入されると（ＳＴ２１）、ユーザＰＣ２においてメールソフト（メーラ）が自動的に起動して（ＳＴ２２）、スクールサーバ１に対してメールが送信されると共に、ＣＤ４に記録された情報を閲覧することができる（ＳＴ２４）。スクールサーバ１は、ユーザＰＣ２から送信されたメールを受信すると、送信元のメールアドレスを登録する（ＳＴ２３）。すなわち、ユーザのメールアドレスをユーザと関連づけて、例えばリストとして管理する。その後、スクールサーバ１は、登録されたメールアドレスに対して追加情報を送信する。【選択図】図４
2006323557.tif 000002
【特許請求の範囲】
【請求項１】
情報提供者のサイトのＵＲＬ及び鍵情報の入力により閲覧が可能となる情報を含む記録媒体がコンピュータに挿入されることにより、自動的に前記サイトのＵＲＬにアクセスする工程と、前記サイトに所定事項を入力して前記情報提供者のサーバに前記所定事項を送信する工程と、前記サーバが前記所定事項を受信したときに前記鍵情報を前記コンピュータに送信する工程と、を具備することを特徴とする情報配信システム。
【請求項２】
メーラ起動プログラム及び情報提供者による情報を含む記録媒体がコンピュータに挿入されることにより、自動的に前記メーラ起動プログラムが起動して前記情報提供者のサーバにメールを送信すると共に前記情報が閲覧可能になることを特徴とする情報配信システム。
【請求項３】
少なくともメーラ起動プログラムの情報を含む図形を含むパンフレットの前記図形を撮像することにより、自動的に前記メーラ起動プログラムが起動して前記情報提供者のサーバにメールを送信することを具備することを特徴とする情報配信システム。
【請求項４】
前記記録媒体又は前記パンフレットは、自動的にメール送信されることを承諾する旨の承諾文を含む領域を有することを特徴とする請求項１から請求項３のいずれかに記載の情報配信システム。
【発明の詳細な説明】
【技術分野】
【０００１】
本発明は、情報配信システムに関する。
【背景技術】
【０００２】
近年、各種のカルチャースクールや資格試験の受験機関への人気が高まってきており、種々の年齢層の人々がいろいろなカルチャースクールや受験機関に通っている。したがって、このようなカルチャースクールなどの数も年々増加してきている。その結果、カルチャースクールなどの人集めは大変困難な状況になってきている。
【０００３】
そこで、各カルチャースクールなどでは、従来から、多額のコストをかけてパンフレットを作成し、そのパンフレットを単に配布していた。このようなパンフレットの配布は、一方的なものであり、誰が受け取ったかを把握することができないので、大きな集客効果を得ることができず、さらに追加情報を配信することもできなかった。
【発明の開示】
【発明が解決しようとする課題】
【０００４】
本発明はかかる点に鑑みてなされたものであり、情報提供者に興味を持つ者の所定事項を取得できると共に、その者に対して追加情報を配信することができる情報配信システムを提供することを目的とする。
【課題を解決するための手段】
【０００５】
本発明の情報配信システムは、情報提供者のサイトのＵＲＬ及び鍵情報の入力により閲覧が可能となる情報を含む記録媒体がコンピュータに挿入されることにより、自動的に前記サイトのＵＲＬにアクセスする工程と、前記サイトに所定事項を入力して前記情報提供者のサーバに前記所定事項を送信する工程と、前記サーバが前記所定事項を受信したときに前記鍵情報を前記コンピュータに送信する工程と、を具備することを特徴とする。
【０００６】
このシステムによれば、ユーザは鍵がかけられた情報を閲覧するためのパスワードなどを取得するために、メールアドレスなどの所定の情報を提供する必要がある。このため、情報提供者は、記録情報提供者に興味のある者のみの所定の情報を入手することができ、その者に追加情報を送ることにより、効果的に集客を行うことが可能となる。
【０００７】
本発明の情報配信システムは、メーラ起動プログラム及び情報提供者による情報を含む記録媒体がコンピュータに挿入されることにより、自動的に前記メーラ起動プログラムが起動して前記情報提供者のサーバにメールを送信すると共に前記情報が閲覧可能になることを特徴とする。
【０００８】
このシステムによれば、ユーザが記録媒体をコンピュータに挿入したときに、情報提供者のサーバに自動的にメールを送信すると共に前記情報が閲覧可能になるために、情報提供者は、記録情報提供者に興味のある者のみの所定の情報を入手することができ、その者に追加情報を送ることにより、効果的に集客を行うことが可能となる。
【０００９】
本発明の情報配信システムは、少なくともメーラ起動プログラムの情報を含む図形を含むパンフレットの前記図形を撮像することにより、自動的に前記メーラ起動プログラムが起動して前記情報提供者のサーバにメールを送信することを特徴とする。
【００１０】
このシステムによれば、メーラ起動プログラムの情報を含む図形を撮像したときに、情報提供者のサーバに自動的にメールを送信すると共に前記情報が閲覧可能になるために、情報提供者は、記録情報提供者に興味のある者のみの所定の情報を入手することができ、その者に追加情報を送ることにより、効果的に集客を行うことが可能となる。
【００１１】
本発明の情報配信システムにおいては、前記記録媒体又は前記パンフレットは、自動的にメール送信されることを承諾する旨の承諾文を含む領域を有することが好ましい。
【発明の効果】
【００１２】
本発明によれば、情報提供者は、その情報提供者に興味のある者のみの所定の情報（例えば、メールアドレスなど）を入手することができるので、その者に追加情報を送ることにより、効果的に集客を行うことが可能となる。
【発明を実施するための最良の形態】
【００１３】
以下、本発明の実施の形態について、添付図面を参照して詳細に説明する。
（実施の形態１）
図１は、本発明の実施の形態に係る情報配信システムの概略構成を示す図である。図１に示す情報配信しステムは、情報提供者であるカルチャースクールが所有するスクールサーバ１と、カルチャースクールに興味を持つユーザが所有するパーソナルコンピュータ（ＰＣ）２又は携帯端末５とから主に構成されている。スクールサーバ１とユーザＰＣ２とは、インターネット３のようなネットワークで接続されている。また、ユーザが所有する携帯端末（例えば、携帯電話やＰＤＡ）５も携帯電話網を介してインターネット３に接続されている。
【００１４】
ユーザＰＣ２には、情報提供者が提供する情報や情報提供者に関連する情報が記録されている記録媒体であるＣＤ（コンパクトディスク）４が挿入される。このＣＤ４は、図２に示すように、その表面に承諾文を含む領域４１と、情報提供者のサイトのＵＲＬ４２とが記載されている。ここでは、記録媒体としてＣＤ４を用いた場合について説明しているが、情報を記録することができれば、他の記録媒体、例えばフロッピーディスク（登録商標）、ＭＤ（ミニディスク）、ＤＶＤ（ディジタルバーサタイルディスク）などを用いることもできる。また、ＣＤ４の表面に記載する事項については承諾文やＵＲＬに限らず、それ以外の情報を記載しても良い。また、ＣＤ４の表面にそれらの事項や情報を記載するレイアウトについては特に制限はない。
【００１５】
ＣＤ４に記録された、情報提供者が提供する情報や情報提供者に関連する情報は、鍵がかけられており、ユーザが鍵情報（例えば、パスワードなど）を入力することにより、閲覧が可能になっている。情報への鍵の付与の方法については、特に制限はなく、通常用いられる方法を採用することが可能である。ここで、情報提供者が提供する情報、情報提供者に関連する情報としては、例えば、カルチャースクールや受験機関などで実際に行われている講義風景や実際に使用されているテキストの情報、情報提供者の所在地やカリキュラム、料金表などを挙げることができる。また、これらの情報を種別分けし、情報提供者が特定の種別のみに鍵をかけるようにしても良い。これにより、そのカルチャースクールや受験機関などのノウハウに係わる部分の閲覧を制限することが可能となる。
【００１６】
上記構成を有する本実施の形態に係る情報配信システムにおいては、情報提供者、例えばカルチャースクールのサイトのＵＲＬ及び鍵情報の入力により閲覧が可能となる情報を含む記録媒体がコンピュータに挿入されることにより、自動的に前記サイトのＵＲＬにアクセスし、前記サイトに所定事項を入力して前記情報提供者のサーバに前記所定事項を送信し、前記サーバが前記所定事項を受信したときに前記鍵情報を前記コンピュータに送信する。
【００１７】
上記手順について、図３を用いて説明する。まず、カルチャースクールなどの情報提供者から配布されたＣＤ４をユーザが受け取り、ユーザがユーザＰＣ２に挿入すると（ＳＴ１１）、インターネットエクスプローラなどのインターネット処理ソフトが自動的に起動する（ＳＴ１２）。そして、ユーザがＣＤ４に記載されている情報提供者のサイト（スクールのＨＰ）のＵＲＬにアクセスすると（ＳＴ１３）、スクールのＨＰ上で承諾文が表示される。この承諾文には、例えば、「メールアドレスを所定の箇所に入力することにより、ＣＤに記録されている情報を閲覧するためのパスワードをそのメールアドレスに送信することや、その後そのメールアドレスに当スクールの追加情報を送信すること、を承諾する」旨が記載されている。ユーザがその承諾文を読んで承諾して（例えばＯＫボタンを押して）、所定の箇所にユーザのメールアドレスを入力して送信すると（ＳＴ１４）、そのメールアドレスの情報がスクールサーバ１に送られる。スクールサーバ１では、ユーザのメールアドレスをユーザと関連づけて、例えばリストとして管理する。そして、スクールサーバ１は、ユーザからメールアドレスを取得したときに、ＣＤ４に記録された情報を閲覧するために必要となるパスワードを当該ユーザに送信する（ＳＴ１５）。ユーザは、パスワードを取得して、そのパスワードを入力することによりＣＤ４に記録された情報を閲覧することができる（ＳＴ１６）。
【００１８】
このように、本実施の形態によれば、ユーザは鍵がかけられた情報を閲覧するためのパスワードなどを取得するために、メールアドレスなどの所定の情報を提供する必要がある。このため、情報提供者は、記録情報提供者に興味のある者のみの所定の情報を入手することができ、その者に追加情報を送ることにより、効果的に集客を行うことが可能となる。
【００１９】
なお、本実施の形態においては、情報提供者のサイト上で承諾が行われるので、ＣＤ４に承諾文を含む領域４１が設けてなくても良い。また、ここでは、パスワードを取得するときにサイトに入力する項目としてメールアドレスを用いた場合について説明しているが、本発明においては、メールアドレス以外の住所、電話番号、氏名などの他の個人情報を入力させるようにしても良い。
【００２０】
（実施の形態２）
本実施の形態においては、メーラ起動プログラム及び情報提供者による情報を含む記録媒体がコンピュータに挿入されることにより、自動的に前記メーラ起動プログラムが起動して前記情報提供者のサーバにメールを送信すると共に前記情報が閲覧可能になる態様について説明する。
【００２１】
この実施の形態においては、図１において、ＣＤ４をユーザＰＣ２に挿入すると、自動的にメールアドレスがスクールサーバ１に送信されるので、あらかじめその承諾を受けるために、ＣＤ４の表面に承諾文を記載した領域４１を設けておく。ユーザは、この承諾文を承諾した場合に、すなわちユーザ自身の個人情報（例えばメールアドレス）が送信され、その後スクールから追加情報が配信されることを承諾した場合に、ＣＤ４をユーザＰＣ２に挿入することになる。なお、この承諾文の内容については一例であり、適宜変更することができる。ここで、情報提供者が提供する情報としては、例えば、カルチャースクールや受験機関などで実際に行われている講義風景や実際に使用されているテキストの情報、情報提供者の所在地やカリキュラム、料金表などを挙げることができる。
【００２２】
具体的には、図４に示すように、ユーザＰＣ２にＣＤ４が挿入されると（ＳＴ２１）、ユーザＰＣ２においてメールソフト（メーラ）が自動的に起動して（ＳＴ２２）、スクールサーバ１に対してメールが送信されると共に、ＣＤ４に記録された情報を閲覧することができる（ＳＴ２４）。スクールサーバ１は、ユーザＰＣ２から送信されたメールを受信すると、送信元のメールアドレスを登録する（ＳＴ２３）。すなわち、ユーザのメールアドレスをユーザと関連づけて、例えばリストとして管理する。その後、スクールサーバ１は、登録されたメールアドレスに対して追加情報を送信する。
【００２３】
このように、本実施の形態によれば、ユーザは承諾文の内容を承諾してＣＤをユーザＰＣに挿入したときに、ユーザの個人情報がスクールに送られると共に情報提供者の情報の閲覧が可能になるために、情報提供者は、記録情報提供者に興味のある者のみの所定の情報を入手することができ、その者に追加情報を送ることにより、効果的に集客を行うことが可能となる。
【００２４】
（実施の形態３）
本実施の形態においては、少なくともメーラ起動プログラムの情報を含む図形を含むパンフレットの前記図形を撮像することにより、自動的に前記メーラ起動プログラムが起動して前記情報提供者のサーバにメールを送信する態様について説明する。
【００２５】
この実施の形態においては、パンフレットに記載された、少なくともメーラ起動プログラムの情報を含む図形、例えば２次元バーコードをユーザが携帯端末５のカメラで撮像すると、自動的にメールアドレスがスクールサーバ１に送信されるので、あらかじめその承諾を受けるために、パンフレットに承諾文を記載しておく。ユーザは、この承諾文を承諾した場合に、すなわちユーザ自身の個人情報（例えばメールアドレス）が送信され、その後スクールから追加情報が配信されることを承諾した場合に、少なくともメーラ起動プログラムの情報を含む図形、例えば２次元バーコードを携帯端末５のカメラで撮像することになる。なお、この承諾文の内容については一例であり、適宜変更することができる。ここで、情報提供者が提供する情報としては、例えば、カルチャースクールや受験機関などで実際に行われている講義風景や実際に使用されているテキストの情報、情報提供者の所在地やカリキュラム、料金表などを挙げることができる。
【００２６】
具体的には、図５に示すように、少なくともメーラ起動プログラムの情報を含む図形、例えば２次元バーコードをユーザが携帯端末５のカメラで撮像すると（ＳＴ３１）、携帯端末５においてメールソフト（メーラ）が自動的に起動して（ＳＴ３２）、スクールサーバ１に対してメールが送信される。スクールサーバ１は、携帯端末５から送信されたメールを受信すると、送信元のメールアドレスを登録する（ＳＴ３３）。すなわち、ユーザのメールアドレスをユーザと関連づけて、例えばリストとして管理する。その後、スクールサーバ１は、登録されたメールアドレスに対して追加情報を送信する。
【００２７】
このように、本実施の形態によれば、ユーザは承諾文の内容を承諾して、メーラ起動プログラムの情報を含む図形を撮像したときに、情報提供者のサーバに自動的にメールを送信すると共に前記情報が閲覧可能になるために、情報提供者は、記録情報提供者に興味のある者のみの所定の情報を入手することができ、その者に追加情報を送ることにより、効果的に集客を行うことが可能となる。
【００２８】
このように、本実施の形態によれば、メーラ起動プログラムの情報を含む図形を撮像したときに、ユーザの個人情報がスクールに送られると共に情報提供者の情報の閲覧が可能になるために、情報提供者は、記録情報提供者に興味のある者のみの所定の情報を入手することができ、その者に追加情報を送ることにより、効果的に集客を行うことが可能となる。
【００２９】
本発明の情報配信システムは、各種資格試験の受験機関をはじめ種々の分野のカルチャースクールに適用することが可能である。
【００３０】
本発明は上記実施の形態１〜３に限定されず、種々変更して実施することが可能である。また、上記実施の形態１〜３における手順については、例示であり、本発明の目的の範囲を逸脱しない限りにおいて適宜変更して実施することが可能である。
【図面の簡単な説明】
【００３１】
【図１】本発明の実施の形態に係る情報配信システムの概略構成を示す図である。
【図２】本発明の実施の形態に係る情報配信システムに使用される記録媒体の一例を示す図である。
【図３】本発明の実施の形態１に係る情報配信システムの手順を示す図である。
【図４】本発明の実施の形態２に係る情報配信システムの手順の他の例を示す図である。
【図５】本発明の実施の形態３に係る情報配信システムの手順の他の例を示す図である。
【符号の説明】
【００３２】
１  スクールサーバ
２  ユーザＰＣ
３  インターネット
４  記録媒体
５  携帯端末
４１  承諾文領域
４２  ＵＲＬ領域
【図１】
2006323557.tif 000003
【図２】
2006323557.tif 000004
【図３】
2006323557.tif 000005
【図４】
2006323557.tif 000006
【図５】
2006323557.tif 000007